(57)【特許請求の範囲】
【請求項１】
レンズ鏡胴を撮像レンズの光軸方向に移動可能であるとともに、レンズ鏡胴に設けられている撮像レンズを保護するレンズバリアを備えたカメラのレンズ鏡胴駆動装置であって、
レンズ鏡胴を撮像レンズの光軸方向に移動する際にレンズ鏡胴を案内する案内部とレンズ鏡胴を前記光軸方向に移動する力を伝達する第１の当接部とを有するレンズ鏡胴と、
撮像レンズの光軸方向と略直角方向に摺動して非撮像時に撮像レンズと外界とを遮って撮像レンズを保護する状態をつくり出して撮像時には撮像レンズを外界に露出するとともに、前記摺動の位置に応じてレンズ鏡胴に前記光軸方向に対して異なる変位を与えるカムを有するレンズバリアと、
前記カムと当接する第２の当接部と、前記第２の当接部が前記カムにより与えられた変位を回動角度に変換する支点と、前記第１の当接部と当接して前記回動角度を前記光軸方向の位置に変換する第３の当接部とを有するアームと、
を備え、
前記レンズバリアのカムの変位が前記レンズ鏡胴の第１の当接部に伝達され、レンズバリアの摺動の位置に応じてレンズ鏡胴の前記光軸方向の位置を定めることを特徴とするレンズ鏡胴駆動装置。
【請求項２】
レンズ鏡胴を撮像レンズの光軸方向に移動可能であるとともに、レンズ鏡胴に設けられている撮像レンズを保護するレンズバリアを備えたカメラのレンズ鏡胴駆動装置であって、
レンズ鏡胴を撮像レンズの光軸方向に移動する際にレンズ鏡胴を案内する案内部と、
レンズ鏡胴の回動量を前記レンズ鏡胴の前記光軸方向の移動量に変換する手段を有するとともに、レンズ鏡胴を回動する力を伝達する第１の当接部を有するレンズ鏡胴と、
撮像レンズの光軸方向と略直角方向に摺動して非撮像時に撮像レンズと外界とを遮って撮像レンズを保護する状態をつくり出して撮像時には撮像レンズを外界に露出するとともに、前記摺動の位置に応じてレンズ鏡胴に前記光軸方向に対して異なる変位を与えるカムを有するレンズバリアと、
前記カムと当接する第２の当接部と、前記第２の当接部がカムにより与えられた変位を当該アームの回動角度に変換する支点と、前記第１の当接部と当接して前記当該アームの回動角度を前記レンズ鏡胴の回動量に変換する第３の当接部とを有するアームと、
を備え、
前記レンズバリアのカムの変位が前記レンズ鏡胴の第１の当接部に伝達され、レンズバリアの摺動の位置に応じてレンズ鏡胴の前記光軸方向の位置を定めることを特徴とするレンズ鏡胴駆動装置。
【請求項３】
前記第１の当接部と前記第３の当接部には、お互いに噛み合う歯車が形成されていることを特徴とする請求項２のレンズ鏡胴駆動装置。
【請求項４】
前記アームの第３の当接部は、前記支点に対して前記第２の当接部よりも外側に設けられており、前記レンズバリアのカムの変位が拡大されて前記レンズ鏡胴の第１の当接部に伝達されることを特徴とする請求項１乃至３のいずれか１に記載のレンズ鏡胴駆動装置。
【発明の詳細な説明】
【０００１】
【発明の属する技術分野】
本発明はレンズ鏡胴駆動装置に係り、特にカメラ等に設けられたレンズ鏡胴を撮像時に繰り出すとともに非撮像時に沈胴するレンズ鏡胴駆動装置に関する。
【０００２】
【従来の技術】
従来からカメラを薄型にして携行を容易にするために撮像レンズの鏡胴を沈胴化することが広く行われており、沈胴化の動力源としてモータなどのアクチュエータを用いた電子カメラが一般に知られている。
【０００３】
また、レンズバリアの開閉と鏡胴の繰り出し及び沈胴が互いに干渉することなく行うことができる簡単な機構からなるバリア機構を設けたカメラが特開平６−２７３８２５号の公報に示されている。
【０００４】
【発明が解決しようとする課題】
しかしながら、撮像レンズを沈胴するためにモータなどのアクチュエータを用いる場合には、当然のことながらモータ等のアクチュエータが必要となり、小電力化、小型化、電池の高寿命化の妨げとなっている。
【０００５】
また、特開平６−２７３８２５号の公報に示されているバリア機構を設けたカメラでは、回動するレンズバリアにより動力を得て、撮像レンズの伸長及び格納を行うものであるが、扇ギヤやオメガばね、ガイド溝、軸受けといった多くの機構の要素が必要となるため構造が複雑になるとともにカメラの価格の高騰を招くという不具合を生じていた。
【０００６】
本発明は、このような事情に鑑みてなされたもので、非撮像時において撮像レンズを保護するために設けたレンズバリアを、撮像の際には利用者が手動で動かして撮像可能な状態に設定するとともに、このレンズバリアを動かす際の力を利用して沈胴していた撮像レンズを繰り出すことが可能なレンズ鏡胴駆動装置を提供することを目的としている。
【０００７】
【課題を解決するための手段】
前記目的を達成するために請求項１に記載の発明は、レンズ鏡胴を撮像レンズの光軸方向に移動可能であるとともにレンズ鏡胴に設けられている撮像レンズを保護するレンズバリアを備えたカメラのレンズ鏡胴駆動装置であって、レンズ鏡胴を撮像レンズの光軸方向に移動する際にレンズ鏡胴を案内する案内部とレンズ鏡胴を前記光軸方向に移動する力を伝達する第１の当接部とを有するレンズ鏡胴と、撮像レンズの光軸方向と略直角方向に摺動して非撮像時に撮像レンズと外界とを遮って撮像レンズを保護する状態をつくり出して撮像時には撮像レンズを外界に露出するとともに前記摺動の位置に応じてレンズ鏡胴に前記光軸方向に対して異なる変位を与えるカムを有するレンズバリアと、前記カムと当接する第２の当接部と前記第２の当接部が前記カムにより与えられた変位を回動角度に変換する支点と前記第１の当接部と当接して前記回動角度を前記光軸方向の位置に変換する第３の当接部とを有するアームとを備え、前記レンズバリアのカムの変位が前記レンズ鏡胴の第１の当接部に伝達されてレンズバリアの摺動の位置に応じてレンズ鏡胴の前記光軸方向の位置を定めることを特徴としている。
【０００８】
本発明によれば、レンズ鏡胴を撮像レンズの光軸方向に移動する際にレンズ鏡胴を案内する案内部とレンズ鏡胴を前記光軸方向に移動する力を伝達する第１の当接部とを有するレンズ鏡胴と、撮像レンズの光軸方向と略直角方向に摺動して非撮像時に撮像レンズと外界とを遮って撮像レンズを保護する状態をつくり出して撮像時には撮像レンズを外界に露出するとともに前記摺動の位置に応じてレンズ鏡胴に前記光軸方向に対して異なる変位を与えるカムを有するレンズバリアと、前記カムと当接する第２の当接部と前記第２の当接部が前記カムにより与えられた変位を回動角度に変換する支点と前記第１の当接部と当接して前記回動角度を前記光軸方向の位置に変換する第３の当接部とを有するアームとを備え、前記レンズバリアのカムの変位が前記レンズ鏡胴の第１の当接部に伝達されてレンズバリアの摺動の位置に応じてレンズ鏡胴の前記光軸方向の位置を定めるように構成したので、レンズバリアを動かす際の力を利用して沈胴していた撮像レンズを繰り出すことが可能となる。
【０００９】
また、前記目的を達成するために請求項２に記載の発明は、レンズ鏡胴を撮像レンズの光軸方向に移動可能であるとともにレンズ鏡胴に設けられている撮像レンズを保護するレンズバリアを備えたカメラのレンズ鏡胴駆動装置であって、レンズ鏡胴を撮像レンズの光軸方向に移動する際にレンズ鏡胴を案内する案内部とレンズ鏡胴の回動量を前記レンズ鏡胴の前記光軸方向の移動量に変換する手段を有するとともにレンズ鏡胴を回動する力を伝達する第１の当接部を有するレンズ鏡胴と、撮像レンズの光軸方向と略直角方向に摺動して非撮像時に撮像レンズと外界とを遮って撮像レンズを保護する状態をつくり出して撮像時には撮像レンズを外界に露出するとともに前記摺動の位置に応じてレンズ鏡胴に前記光軸方向に対して異なる変位を与えるカムを有するレンズバリアと、前記カムと当接する第２の当接部と前記第２の当接部がカムにより与えられた変位を当該アームの回動角度に変換する支点と前記第１の当接部と当接して前記当該アームの回動角度を前記レンズ鏡胴の回動量に変換する第３の当接部とを有するアームとを備え、前記レンズバリアのカムの変位が前記レンズ鏡胴の第１の当接部に伝達されてレンズバリアの摺動の位置に応じてレンズ鏡胴の前記光軸方向の位置を定めることを特徴としている。
【００１０】
本発明によれば、レンズ鏡胴を撮像レンズの光軸方向に移動する際にレンズ鏡胴を案内する案内部とレンズ鏡胴の回動量を前記レンズ鏡胴の前記光軸方向の移動量に変換する手段を有するとともにレンズ鏡胴を回動する力を伝達する第１の当接部を有するレンズ鏡胴と、撮像レンズの光軸方向と略直角方向に摺動して非撮像時に撮像レンズと外界とを遮って撮像レンズを保護する状態をつくり出して撮像時には撮像レンズを外界に露出するとともに前記摺動の位置に応じてレンズ鏡胴に前記光軸方向に対して異なる変位を与えるカムを有するレンズバリアと、前記カムと当接する第２の当接部と前記第２の当接部がカムにより与えられた変位を当該アームの回動角度に変換する支点と前記第１の当接部と当接して前記当該アームの回動角度を前記レンズ鏡胴の回動量に変換する第３の当接部とを有するアームとを備え、前記レンズバリアのカムの変位が前記レンズ鏡胴の第１の当接部に伝達されてレンズバリアの摺動の位置に応じてレンズ鏡胴の前記光軸方向の位置を定めるように構成したので、レンズバリアを動かす際の力を利用して沈胴していた撮像レンズを繰り出すことが可能となる。
【００１９】
【発明の実施の形態】
以下添付図面に従って、本発明に係るレンズ鏡胴駆動装置の好ましい実施の形態について詳説する。
【００２０】
図１に本発明に係るレンズ鏡胴駆動装置の第１の実施の形態を示す。
【００２１】
同図に示すように、本発明に係るレンズ鏡胴駆動装置を備えたカメラ１１０には、利用者が撮像の指示を入力するレリーズボタン１１２と、利用者が撮像する被写体像を確認するファインダ窓１１４とが設けられている。
【００２２】
またカメラ１１０に設けられている沈胴可能なレンズ鏡胴１１６には、レンズ鏡胴１１６をレンズ鏡胴１１６内に設けられている撮像レンズの光軸方向（図１に示す例ではＺ軸方向）に移動する際にレンズ鏡胴１１６を案内する案内部（図１には図示しない摺動部など）と、レンズ鏡胴１１６を光軸方向に移動する力を伝達するカムフォロワ等のピン１１８（第１の当接部）とが設けられている。
【００２３】
レンズ鏡胴１１６は、非撮像時には沈胴するので携行が容易となっている。また、撮像時には同図に示すＺ軸の正方向に繰り出して被写体像がＣＣＤや撮像フイルム面に合焦するように構成されている。
【００２４】
またカメラ１１０には、撮像レンズの光軸方向と略直角方向に摺動して非撮像時に撮像レンズと外界とを遮って撮像レンズを保護する状態をつくり出し、撮像時には撮像レンズを外界に露出するレンズバリア１２０が設けられている。
【００２５】
レンズバリア１２０の一部（図１に示す例ではカメラ１１０の下側）にはカム１２２が設けられており、レンズバリア１２０のＸ方向の摺動の位置に応じてレンズ鏡胴１１６に光軸方向に対して異なる変位を与えることが可能となっている。
【００２６】
またカメラ１１０にはアーム１２４が設けられている。当該アーム１２４には、カム１２２と当接する当接部１２６（第２の当接部）と、当接部１２６がカム１２２により与えられた変位をアーム１２４のＹ１軸回りの回動角度に変換する支点１２８と、レンズ鏡胴１１６のピン１１８と当接して支点１２８回りのアーム１２４の回動角度を光軸方向の位置に変換する長穴１３０との駆動機構が設けられている。
【００２７】
なお、図１に示す例ではレンズ鏡胴１１６を同図に示すＺ軸の正方向に付勢するバネ１３２（付勢手段）が設けられており、カム１２２と当接部１２６とが接触する方向に押圧する力を付勢している。なお、同図に示す例では引張バネを用いて力を付勢する方式で示してあるが、当然のこととして本発明はこれに限定されるものではなく、圧縮バネ、ゴム、樹脂等の他の力を発生する手段を用いても本発明の目的を達成することが可能である。
【００２８】
図１に示すカメラ１１０では、レンズバリア１２０が閉じた位置（レンズ鏡胴に設けられている撮像レンズを保護し、カメラ１１０を利用者が携行する場合に設定するレンズバリア１２０の位置）に設定されており、この場合にはレンズ鏡胴１１６は沈胴するとともにレンズバリア１２０によって外界と遮断した状態になっている。
【００２９】
図２に、カメラ１１０が撮像を行い得る状態を示す。
【００３０】
同図に示すように、本発明に係るレンズ鏡胴駆動装置よれば、利用者がカメラ１１０に設けられているレンズバリア１２０を摺動させて退避位置まで開くことによってレンズ鏡胴１１６が繰り出して、カメラ１１０は撮像可能な状態に設定される。
【００３１】
同図に示すように、利用者が手動でレンズバリア１２０を摺動（図１に示す例ではＸ軸の方向に摺動）させると、レンズバリア１２０に設けられているカム１２２によるＺ方向の変位が当接部１２６に伝達されて、アーム１２４のＹ１軸回りの回動角度に変換される。
【００３２】
次にアーム１２４の回動角度が長穴１３０と当接しているピン１１８に伝達されて、アーム１２４のＹ１軸回りの回動角度がレンズ鏡胴１１６のＺ軸方向の位置に変換される。したがってレンズ鏡胴１１６は、レンズバリア１２０の摺動の位置に応じて撮像レンズの光軸方向の位置を定めることが可能となる。
【００３３】
図３に本発明に係るレンズ鏡胴駆動装置の第２の実施の形態を示す。
【００３４】
同図に示すように本発明に係るレンズ鏡胴駆動装置を備えたカメラ３１０には、利用者が撮像の指示を入力するレリーズボタン３１２が設けられている。
【００３５】
またカメラ３１０に設けられている沈胴可能なレンズ鏡胴３１６には、レンズ鏡胴３１６の回動量をレンズ鏡胴３１６の光軸方向の移動量に変換する螺旋構造等の駆動手段と、レンズ鏡胴３１６内に設けられている撮像レンズを光軸方向（図３に示す例ではＺ軸方向）に移動する際にレンズ鏡胴３１６を案内する案内部（図３には図示せず）と、レンズ鏡胴３１６を回動量する力を伝達する第１の当接部３１８との駆動機構が設けられている。
【００３６】
レンズ鏡胴３１６は、非撮像時には沈胴するので携行が容易となっている。また、撮像時には同図に示すＺ軸の正方向に繰り出して被写体像がＣＣＤや撮像フイルム面に合焦するように構成されている。
【００３７】
またカメラ３１０には、撮像レンズの光軸方向と略直角方向に摺動して非撮像時に撮像レンズと外界とを遮って撮像レンズを保護する状態をつくり出し、撮像時には撮像レンズを外界に露出するレンズバリア３２０が設けられている。
【００３８】
レンズバリア３２０の一部（図３に示す例ではレンズバリア３２０の裏面）にはカム３２２（同図に示す例では溝形のカム）が設けられており、レンズバリア３２０のＸ方向の摺動の位置に応じてレンズ鏡胴３１６に光軸方向に対して異なる変位を与えることが可能となっている。
【００３９】
図４に、レンズバリア３２０を裏面から見た斜視図を示す。
【００４０】
同図に示すようにレンズバリア３２０の裏面には溝形のカム３２２が形成されている。
【００４１】
またカメラ３１０には扇形のアーム３２４が設けられている。当該アーム３２４には、カム３２２と当接する第２の当接部３２６と、第２の当接部３２６がカム３２２により与えられた変位をアーム３２４のＺ１軸回りの回動角度に変換する支点３２８と、レンズ鏡胴３１６の第１の当接部３１８と当接して支点３２８回りのアーム３２４の回動角度をレンズ鏡胴３１６の回動角度に変換する歯車状の第３の当接部３３０とが設けられている。
【００４２】
図３に示すカメラ３１０では、レンズバリア３２０が閉じた位置（カメラ３１０を利用者が携行する場合に設定するレンズバリア３２０の位置）に設定されており、この場合にはレンズ鏡胴３１６は沈胴するとともにレンズバリア３２０によって外界と遮断した状態になっている。
【００４３】
利用者が手動でレンズバリア３２０を摺動（図３に示す例ではＸ軸の負の方向に摺動）させると、レンズバリア３２０のカム３２２によるＹ方向の変位が第２の当接部３２６に伝達されて、アーム３２４のＺ１軸回りの回動角度に変換される。
【００４４】
次にアーム３２４の回動角度が第３の当接部３３０と当接している第１の当接部３１８に伝達されて、アーム３２４のＺ１軸回りの回動角度がレンズ鏡胴３１６のＺ軸回りの回動角度に変換される。更にレンズ鏡胴３１６の回動角度は螺旋構造等の手段によってレンズ鏡胴３１６のＺ軸方向の位置に変換される。
【００４５】
したがってレンズ鏡胴３１６は、レンズバリア３２０の摺動の位置に応じて撮像レンズの光軸方向の位置を定めることが可能となる。
【００４６】
なお同図に示す例では、アーム３２４の第３の当接部３３０は、支点３２８に対して第２の当接部３２６よりも外側に設けられているため、レンズバリア３２０のカム３２２の変位が拡大されてレンズ鏡胴３１６の第１の当接部３１８に伝達される。このことによって、カム３２２による第２の当接部のＹ軸方向の変位量が少なくても、レンズ鏡胴３１６の繰り出し量を多く設定することが可能となる。
【００４７】
なお図３に示す実施例では、第１の当接部３１８と前記第３の当接部３３０にはお互いに噛み合う歯車が形成されている例で示したが、本発明はこれに限定されるものではなく、力を伝達する手段を用いていれば他の手段であっても本発明の目的を達成することが可能である。
【００４８】
図５に本発明に係るレンズ鏡胴駆動装置の第３の実施の形態を示す。
【００４９】
同図に示すように、本発明に係るレンズ鏡胴駆動装置を備えたカメラ５１０には、利用者が撮像の指示を入力するレリーズボタン５１２と、利用者が撮像する被写体像を確認するファインダ窓５１４とが設けられている。
【００５０】
またカメラ５１０に設けられている沈胴可能なレンズ鏡胴５１６には、レンズ鏡胴５１６をレンズ鏡胴５１６内に設けられている撮像レンズの光軸方向（図５に示す例ではＺ軸方向）に移動する際にレンズ鏡胴５１６を案内する案内部（図５には図示しない摺動部など）と、レンズ鏡胴５１６を光軸方向に移動する力を伝達するカムフォロワ等のピン５１８（第１の当接部）とが設けられている。
【００５１】
レンズ鏡胴５１６は、非撮像時には沈胴して携行が容易となっている。また、撮像時には同図に示すＺ軸の正方向に繰り出して被写体像がＣＣＤや撮像フイルム面に合焦するように構成されている。
【００５２】
またカメラ５１０には、撮像レンズの光軸方向と略直角方向に摺動して非撮像時に撮像レンズと外界とを遮って撮像レンズを保護する状態をつくり出し、撮像時には撮像レンズを外界に露出するレンズバリア５２０が設けられている。
【００５３】
レンズバリア５２０の一部（図５に示す例ではカメラ５１０の下側）にはカム５２２（同図に示す例では溝形のカム）が設けられており、レンズバリア５２０のＸ方向の摺動の位置に応じてレンズ鏡胴５１６に光軸方向に対して異なる変位を与えることが可能となっている。
【００５４】
図５に示すカメラ５１０では、レンズバリア５２０が閉じた位置（カメラ５１０を利用者が携行する場合に設定するレンズバリア５２０の位置）に設定されており、この場合にはレンズ鏡胴５１６は沈胴するとともにレンズバリア５２０によって外界と遮断した状態になっている。
【００５５】
図６に、カメラ５１０が撮像を行い得る状態を示す。
【００５６】
同図に示すように、本発明に係るレンズ鏡胴駆動装置よれば、利用者がカメラ５１０に設けられているレンズバリア５２０を摺動して開くことによってレンズ鏡胴５１６が繰り出して、カメラ５１０は撮像可能な状態に設定される。
【００５７】
同図に示すように、利用者が手動でレンズバリア５２０を摺動（図６に示す例ではＸ軸の方向に摺動）させると、レンズバリア５２０に設けられているカム５２２のＺ軸方向の変位は当接しているピン５１８に伝達されて、レンズバリア５２０のＸ軸方向の位置がレンズ鏡胴５１６のＺ軸方向の位置に変換される。したがってレンズ鏡胴５１６は、レンズバリア５２０の摺動の位置に応じて撮像レンズの光軸方向の位置を定めることが可能となる。
【００５８】
図７に本発明に係るレンズ鏡胴駆動装置の第４の実施の形態の断面斜視図を示す。
【００５９】
同図に示すように、本発明に係るレンズ鏡胴駆動装置を備えたカメラ７１０には、被写体像を撮像する撮像レンズを備えた沈胴可能なレンズ鏡胴７１６と、撮像レンズを保護する状態と撮像する状態とに設定することが可能なレンズバリア７２０と、レンズ鏡胴７１６の光軸と平行に設けられた案内溝７３４と、レンズバリア７２０の回動量に応じてレンズ鏡胴７１６に対して沈胴と繰り出しの力を伝達するリンク７４２と、付勢手段７４４と、被写体像を撮像する撮像手段７４６とが設けられている。
【００６０】
レンズ鏡胴７１６には、レンズ鏡胴７１６をレンズ鏡胴７１６に設けられている撮像レンズの光軸方向（図７に示す例ではＺ軸方向）に移動する際にレンズ鏡胴７１６を案内する案内部７３６と、レンズ鏡胴７１６を光軸方向に移動する力を伝達するとともに案内溝７３４に挿入し当該レンズ鏡胴７１６の移動に伴って案内溝７３４の中を光軸方向に摺動する摺動部７１８とが設けられている。
【００６１】
レンズバリア７２０には、撮像レンズの光軸と略直角の回動軸（図７に示す例ではＹ２軸回りの回動軸）を有する第１の支点７３８が設けられており、レンズバリア７２０は第１の支点７３８を中心に回動して非撮像時に撮像レンズと外界とを遮って撮像レンズを保護する状態をつくり出して撮像時には撮像レンズを外界に露出することが可能となっている。図７に示す状態では、レンズバリア７２０は撮像レンズを保護する状態（レンズバリア７２０は撮像レンズを保護する位置）に設定されている。この場合にはレンズ鏡胴７１６は沈胴するとともにレンズバリア７２０によって外界と遮断した状態（レンズバリア７２０は退避位置に設定）になっている。
【００６２】
またレンズバリア７２０には、第１の支点７３８と異なる位置に第２の支点７４０が設けられており、リンク７４２の第１端が回動自在に接続されている。
【００６３】
リンク７４２の第１端は、第２の支点７４０を中心にレンズバリア７２０とＹ軸回りに回動自在に接続されている。リンク７４２の第２端は案内溝７３４に挿入され、案内溝７３４の中をＹ軸回りに回動自在且つＺ軸方向に摺動しつつ、レンズ鏡胴７１６の摺動部７１８と当接している。
【００６４】
なお、レンズ鏡胴７１６の摺動部７１８とリンク７４２の第２端とは、付勢手段７４４によって互いに押圧する方向に力が付与されている。なお、図７に示す例では圧縮バネを用いて力を付勢する方式で示してあるが、当然のこととして本発明はこれに限定されるものではなく、引張バネ、ゴム、樹脂等の他の力を発生する手段を用いても本発明の目的を達成することが可能である。
【００６５】
図８に、カメラ７１０が撮像を行い得る状態を示す。
【００６６】
同図に示すように、本発明に係るレンズ鏡胴駆動装置よれば、利用者がカメラ７１０に設けられているレンズバリア７２０を開くことによってレンズ鏡胴７１６が繰り出して、カメラ７１０は撮像可能な状態に設定される。
【００６７】
同図に示すように、利用者が手動でレンズバリア７２０を回動（図７に示す例ではＹ２軸回りに回動）させると、レンズバリア７２０に設けられている第２の支点７４０の変位が、リンク７４２の第２端のＺ軸方向の変位に変換される。リンク７４２の第２端のＺ軸方向の変位は当接している摺動部７１８に伝達され、これによってレンズ鏡胴７１６の光軸方向の位置を定めることが可能となる。
【００６８】
レンズ鏡胴７１６は非撮像時には図７に示すように沈胴して携行が容易となっているが、撮像時には図８に示すようにＺ軸の正方向に繰り出して被写体像がＣＣＤや撮像フイルム面等の撮像手段７４６に合焦するように構成されている。
【００６９】
なおレンズバリア７２０が図８に示す撮像位置に設定されると、利用者が撮像時にカメラ７１０を保持し易い位置にレンズバリア７２０のグリップ部７４８がくるように構成されている。
【００７０】
図９に、本発明に係るレンズ鏡胴駆動装置の第５の実施の形態の断面図を示す。
【００７１】
同図に示すように、本発明に係るレンズ鏡胴駆動装置を備えたカメラ９１０には、被写体像を撮像する撮像レンズを備えた沈胴可能なレンズ鏡胴９１６と、撮像レンズを保護する状態と撮像する状態とに設定することが可能なレンズバリア９２０と、レンズバリア９２０の回動量に応じてレンズ鏡胴９１６に対して沈胴と繰り出しの力を伝達するリンク９４２と、被写体像を撮像する撮像手段９４６とが設けられている。
【００７２】
レンズバリア９２０には、撮像レンズの光軸と略直角の回動軸を有する第１の支点９３８が設けられており、レンズバリア９２０は第１の支点９３８を中心に回動して非撮像時に撮像レンズと外界とを遮って撮像レンズを保護する状態をつくり出して撮像時には撮像レンズを外界に露出することが可能となっている。図９に示す状態では、レンズバリア９２０は撮像レンズを保護する状態に設定されている。この場合にはレンズ鏡胴９１６は沈胴するとともにレンズバリア９２０によって外界と遮断した状態になっている。
【００７３】
またレンズバリア９２０には、第１の支点９３８と異なる位置に第２の支点９４０が設けられており、リンク９４２の第１端が回動自在に接続されている。
【００７４】
レンズ鏡胴９１６には、レンズ鏡胴９１６をレンズ鏡胴９１６に設けられている撮像レンズの光軸方向（図９に示す例ではＺ軸方向）に移動する際にレンズ鏡胴９１６を案内する案内部９３６と、レンズ鏡胴９１６を光軸方向に移動する力を伝達するとともにリンク９４２を回動自在に接続する第３の支点９１８とが設けられている。
【００７５】
リンク９４２の第１端は、第２の支点９４０を中心にレンズバリア９２０とＹ軸回りに回動自在に接続されている。また前述のようにリンク９４２の第２端は、レンズ鏡胴９１６の第３の支点９１８とＹ軸回りに回動自在に接続されている。
【００７６】
図１０に、カメラ９１０が撮像を行い得る状態を示す。
【００７７】
同図に示すように、本発明に係るレンズ鏡胴駆動装置よれば、利用者がカメラ９１０に設けられているレンズバリア９２０を開くことによってレンズ鏡胴９１６が繰り出して、カメラ９１０は撮像可能な状態に設定される。
【００７８】
同図に示すように、利用者が手動でレンズバリア９２０を回動（図９に示す例ではＹ軸回りに回動）させると、レンズバリア９２０に設けられている第２の支点９４０の変位が、リンク９４２の第２端のＺ軸方向の変位に変換される。リンク９４２の第２端のＺ軸方向の変位は回動自在に接続されている第３の支点９１８に伝達され、これによってレンズ鏡胴９１６の光軸方向の位置を定めることが可能となる。
【００７９】
レンズ鏡胴９１６は、非撮像時には図９に示すように沈胴して携行が容易となっているが、撮像時には図１０に示すようにＺ軸の正方向に繰り出して被写体像がＣＣＤや撮像フイルム面等の撮像手段９４６に合焦するように構成されている。
【００８０】
なおレンズバリア９２０が図１０に示す撮像位置に設定されると、利用者が撮像時にカメラ９１０を保持し易い位置にレンズバリア９２０のグリップ部９４８がくるように構成されている。
【００８１】
図１１に、本発明に係るレンズ鏡胴駆動装置の第６の実施の形態の断面図を示す。
【００８２】
同図に示すように、本発明に係るレンズ鏡胴駆動装置を備えたカメラ１１１０には、被写体像を撮像する撮像レンズを備えた沈胴可能なレンズ鏡胴１１１６と、撮像レンズを保護する状態と撮像する状態とに設定することが可能なレンズバリア１１２０と、被写体像を撮像する撮像手段１１４６とが設けられている。
【００８３】
レンズ鏡胴１１１６には、レンズ鏡胴１１１６をレンズ鏡胴１１１６に設けられている撮像レンズの光軸方向（図１１に示す例ではＺ軸方向）に移動する際にレンズ鏡胴１１１６を案内する案内部１１３６と、レンズ鏡胴１１１６を光軸方向に移動する力を伝達するとともに後述するレンズバリア１１２０に設けられているカム１１２２と当接するカムフォロワ等の当接部１１１８とが設けられている。
【００８４】
レンズバリア１１２０には、撮像レンズの光軸と略直角の回動軸を有する第１の支点１１３８が設けられており、レンズバリア１１２０は第１の支点１１３８を中心に回動して非撮像時に撮像レンズと外界とを遮って撮像レンズを保護する状態をつくり出して、撮像時には撮像レンズを外界に露出することが可能となっている。図１１に示す状態では、レンズバリア１１２０は撮像レンズを保護する状態に設定されている。この場合にはレンズ鏡胴１１１６は沈胴するとともにレンズバリア１１２０によって外界と遮断した状態になっている。
【００８５】
またレンズバリア１１２０には、第１の支点１１３８回りの回動角度に応じてレンズ鏡胴１１１６に同図に示すＺ軸方向に対して異なる変位を与えるカム１１２２が設けられている。
【００８６】
なお、レンズ鏡胴１１１６の当接部１１１８とカム１１２２とは、付勢手段１１４４によって互いに押圧する方向に力が付与されている。なお、図１１に示す例では圧縮バネを用いて力を付勢する方式で示してあるが、当然のこととして本発明はこれに限定されるものではなく、引張バネ、ゴム、樹脂等の他の力を発生する手段を用いても本発明の目的を達成することが可能である。
【００８７】
図１２に、カメラ１１１０が撮像を行い得る状態を示す。
【００８８】
同図に示すように、本発明に係るレンズ鏡胴駆動装置よれば、利用者がカメラ１１１０に設けられているレンズバリア１１２０を開くことによってレンズ鏡胴１１１６が繰り出して、カメラ１１１０は撮像可能な状態に設定される。
【００８９】
同図に示すように、利用者が手動でレンズバリア１１２０を回動（図１１に示す例ではＹ軸回りに回動）させると、レンズバリア１１２０に設けられているカム１１２２の変位によってレンズ鏡胴１１１６がＺ軸方向に変位する。
【００９０】
レンズ鏡胴１１１６は、非撮像時には図１１に示すように沈胴して携行が容易となっているが、撮像時には図１２に示すようにＺ軸の正方向に繰り出して被写体像がＣＣＤや撮像フイルム面等の撮像手段１１４６に合焦するように構成されている。なお、撮像状態においてカム１１２２と当接部１１１８とが離れる場合には、レンズ鏡胴１１１６のＺ軸方向における終端位置を設定する係止部１１５０を設ける。
【００９１】
図１３は、図１〜図６に示したレンズ鏡胴駆動装置における、レンズバリアの位置とレンズ鏡胴の繰り出し位置との関係を示した図である。
【００９２】
同図に示すように摺動式のレンズバリアでは、レンズ鏡胴が全て露出した状態になってからレンズ鏡胴の繰り出し動作を行う必要がある。そのためレンズバリアを保護位置から動かしはじめて、実際にレンズ鏡胴が沈胴位置から動きはじめるまでにはデッドストローク部分（同図に示すＤＳ部分）が必要となる。このデッドストローク部分では、レンズバリアを摺動しても全くレンズ鏡胴は繰り出し動作を行わないか、又はレンズバリアを摺動しても殆どレンズ鏡胴は繰り出し動作を行わないように設定されている。
【００９３】
レンズバリアからレンズ鏡胴が露出した状態になると、レンズバリアの位置に応じてレンズ鏡胴が繰り出され、レンズバリアの摺動位置が撮像位置に達するとレンズ鏡胴の位置も撮像位置に設定される。なお、被写体がカメラに近い位置であっても被写体像が撮像手段上に合焦するように設定するマクロ位置を、レンズバリアの位置に応じて設定してもよい。
【００９４】
図１４は、図７〜図１２に示したレンズ鏡胴駆動装置における、レンズバリアの回動位置とレンズ鏡胴の繰り出し位置との関係を示した図である。
【００９５】
同図に示すように回動式のレンズバリアでは、レンズバリアを保護位置から回動し始めると同時にレンズ鏡胴を沈胴位置から繰り出す動作を始めることが可能である。そのため上述したようなデッドストローク部分を設ける必要がないという特徴を有する。
【００９６】
【発明の効果】
以上説明したように本発明に係るレンズ鏡胴駆動装置によれば、レンズ鏡胴を撮像レンズの光軸方向に移動する際にレンズ鏡胴を案内する案内部とレンズ鏡胴を前記光軸方向に移動する力を伝達する第１の当接部とを有するレンズ鏡胴と、撮像レンズの光軸方向と略直角方向に摺動して非撮像時に撮像レンズと外界とを遮って撮像レンズを保護する状態をつくり出して撮像時には撮像レンズを外界に露出するとともに前記摺動の位置に応じてレンズ鏡胴に前記光軸方向に対して異なる変位を与えるカムを有するレンズバリアと、前記カムと当接する第２の当接部と前記第２の当接部が前記カムにより与えられた変位を回動角度に変換する支点と前記第１の当接部と当接して前記回動角度を前記光軸方向の位置に変換する第３の当接部とを有するアームとを備え、前記レンズバリアのカムの変位が前記レンズ鏡胴の第１の当接部に伝達されてレンズバリアの摺動の位置に応じてレンズ鏡胴の前記光軸方向の位置を定めるように構成したので、レンズバリアを動かす際の力を利用して沈胴していた撮像レンズを繰り出すことが可能となる。
【００９７】
また、他の発明の形態によれば、レンズ鏡胴の光軸と平行に設けられた案内溝と、レンズ鏡胴を撮像レンズの光軸方向に移動する際にレンズ鏡胴を案内する案内部とレンズ鏡胴を前記光軸方向に移動する力を伝達するとともに前記案内溝に挿入し当該レンズ鏡胴の移動に伴って前記案内溝の中を摺動する摺動部とを有するレンズ鏡胴と、撮像レンズの光軸と略直角の回動軸を有する第１の支点を中心に回動して非撮像時に撮像レンズと外界とを遮って撮像レンズを保護する状態をつくり出して撮像時には撮像レンズを外界に露出するとともに前記第１の支点と異なる位置に設けられたリンクを接続する第２の支点を有するレンズバリアと、第１端は前記第２の支点を中心に回動自在に接続され第２端は前記案内溝に挿入され前記案内溝の中を回動自在に摺動しつつ前記摺動部と当接するリンクと、前記レンズ鏡胴の摺動部と前記リンクの第２端とを互いに押圧する方向に力を付与する付勢手段とを備え、前記レンズバリアの回動位置に応じた第２の支点の変位が前記リンクの第２端の前記光軸方向の変位に変換されて前記リンクの第２端の前記光軸方向の変位がレンズ鏡胴の前記光軸方向の位置を定めるように構成したので、レンズバリアを動かす際の力を利用して沈胴していた撮像レンズを繰り出すことが可能となる。
【００９８】
また本発明によれば、レンズ鏡胴の沈胴及び繰り出しの動作に対してモータ等のアクチュエータを付加する必要がないので、カメラの省電力化、低価格化、小型化を図ることが可能となる。
【図面の簡単な説明】
【図１】レンズ鏡胴駆動装置の第１の実施の形態を示す斜視図
【図２】第１の実施の形態においてカメラが撮像を行い得る状態を示す斜視図
【図３】レンズ鏡胴駆動装置の第２の実施の形態を示す斜視図
【図４】レンズバリアを裏面から見た斜視図
【図５】レンズ鏡胴駆動装置の第３の実施の形態を示す斜視図
【図６】第３の実施の形態においてカメラが撮像を行い得る状態を示す斜視図
【図７】レンズ鏡胴駆動装置の第４の実施の形態を示す斜視図
【図８】第４の実施の形態においてカメラが撮像を行い得る状態を示す斜視図
【図９】レンズ鏡胴駆動装置の第５の実施の形態を示す図
【図１０】第５の実施の形態においてカメラが撮像を行い得る状態を示す図
【図１１】レンズ鏡胴駆動装置の第６の実施の形態を示す図
【図１２】第６の実施の形態においてカメラが撮像を行い得る状態を示す図
【図１３】本発明に係るレンズ鏡胴駆動装置において、レンズバリアの位置とレンズ鏡胴の繰り出し位置との関係を示した図
【図１４】本発明に係るレンズ鏡胴駆動装置において、レンズバリアの回動位置とレンズ鏡胴の繰り出し位置との関係を示した図
【符号の説明】
１１０…カメラ、１１６…レンズ鏡胴、１１８…ピン、１２０…レンズバリア、１２２…カム、１２４…アーム、１２６…当接部、１２８…支点、１３０…長穴、１３２…バネ、３１０…カメラ、３１６…レンズ鏡胴、３１８…第１の当接部、３２０…レンズバリア、３２２…カム、３２４…アーム、３２６…第２の当接部、３２８…支点、３３０…第３の当接部、５１０…カメラ、５１６…レンズ鏡胴、５１８…ピン、５２０…レンズバリア、５２２…カム、７１０…カメラ、７１６…レンズ鏡胴、７１８…摺動部、７２０…レンズバリア、７３４…案内溝、７３６…案内部、７３８…第１の支点、７４０…第２の支点、７４２…リンク、７４４…付勢手段、７４６…撮像手段、７４８…グリップ部、９１０…カメラ、９１６…レンズ鏡胴、９１８…第３の支点、９２０…レンズバリア、９３６…案内部、９３８…第１の支点、９４０…第２の支点、９４２…リンク、９４６…撮像手段、９４８…グリップ部、１１１０…カメラ、１１１６…レンズ鏡胴、１１１８…当接部、１１２０…レンズバリア、１１２２…カム、１１３６…当接部、１１３８…第１の支点、１１４４…付勢手段、１１４６…撮像手段、１１５０…係止部
【図１】
0004178499.tif 000002
【図２】
0004178499.tif 000003
【図３】
0004178499.tif 000004
【図４】
0004178499.tif 000005
【図５】
0004178499.tif 000006
【図６】
0004178499.tif 000007
【図７】
0004178499.tif 000008
【図８】
0004178499.tif 000009
【図９】
0004178499.tif 000010
【図１０】
0004178499.tif 000011
【図１１】
0004178499.tif 000012
【図１２】
0004178499.tif 000013
【図１３】
0004178499.tif 000014
【図１４】
0004178499.tif 000015